(57)【要約】【課題】定着ヒーターに割り当てる電力を最大限にして、定着部のウォームアップの時間を短縮できる画像形成装置を提供する。【解決手段】画像形成装置は、態様を切り替える前に、定着ヒーターの最大の定格電力を示す情報と、定着ヒーターを除き態様切替後に電力を供給されるべき電気要素の消費電力を示す情報を取得する読出部４５ａ、画像形成装置の上限電力から電気要素の消費電力を差し引いた電力の範囲内かつ定格電力の範囲内で、最大限の電力を定着ヒーターの割当電力として算出する算出部４５ｂ、割当電力をＰＷＭ制御により定着ヒーターに供給するとした場合のデューティ比が所定値を超えるか否かを判断する判断部４５ｃ及び所定値を超える場合切り替え後において半周期毎に交流電流の定着ヒーターへの入力を一時的に遮断する位相制御方式を用いるヒーター制御部４８を備える。【選択図】図２
2018155783.tif 000002
【特許請求の範囲】
【請求項１】
一連の静電複写プロセスを実行する各処理部において、個々の処理を実現するために供する複数の電気要素を有し、一の電気要素としての発熱体に対する通電を制御して、前記発熱体により加熱される定着部材によりシート上にトナー像を定着させる画像形成装置であって、
複数の電気要素のうち第一の組合せに係る電気要素に電力を供給する第一の態様から、前記第一の組合せとは異なる第二の組合せに係る電気要素に電力を供給する第二の態様に切り替える前に、前記発熱体の最大の定格電力を示す定格電力情報と、前記発熱体を除き、前記第二の態様において電力を供給されるべき複数の電気要素の消費電力を示す消費電力情報を取得する取得手段と、
前記画像形成装置に割り当てられた上限電力から前記消費電力情報により示される消費電力を差し引いた電力の範囲内、かつ、前記定格電力情報により示される最大の定格電力の範囲内で、最大限の電力を、前記発熱体に割り当てる割当消費電力として、算出する算出手段と、
所定値以下のデューティ比を実使用範囲とするパルス変調方式により、交流電源からの電力を変換して前記発熱体に供給する第一給電と、前記交流電源からの交流電流の半周期毎に前記交流電流の前記発熱体への入力を一時的に遮断する位相制御方式により、前記交流電源からの電力を変換して前記発熱体に供給する第二給電とを切り替え可能な駆動回路と、
算出された前記割当消費電力を、前記第一給電により、前記発熱体に供給するとした場合のデューティ比が前記所定値を超えるか否かを判断する判断手段と、
前記デューティ比が前記所定値を超えないと判断される場合、前記第二の態様において前記駆動回路に前記第一給電を行わせ、前記デューティ比が前記所定値を超えると判断される場合、前記第二の態様において前記駆動回路に前記第二給電を行わせる制御手段と
を備えることを特徴とする画像形成装置。
【請求項２】
前記複数の電気要素は、前記静電複写プロセスを実行するために供される最小限の電気要素及び前記静電複写プロセスに対して付加的に実行する処理を実現するため選択的に供される電気要素を含み、
前記第一の組合せに係る電気要素は、前記最小限の電気要素であり、
前記第二の組合せに係る電気要素は、前記第一の組合せに係る電気要素に加えて、前記選択的に供される電気要素を含む
ことを特徴とする請求項１に記載の画像形成装置。
【請求項３】
トナー粒子の融着温度に到達するまで前記定着部材が加熱されるプロセスにおいて、前記第一の態様から前記第二の態様に切り替わる
ことを特徴とする請求項１に記載の画像形成装置。
【請求項４】
前記駆動回路は、還流ダイオードを含むチョッパ回路を備え、
前記所定値は、前記還流ダイオードにリカバリー電流が発生しない限界を示す、パルス変調方式におけるデューティ比に相当する
ことを特徴とする請求項１に記載の画像形成装置。
【請求項５】
前記位相制御方式は、トナー粒子の融着温度に到達するまで前記定着部材が加熱されるプロセスにおいて用いられる
ことを特徴とする請求項１に記載の画像形成装置。
【請求項６】
前記画像形成装置に、新たな電気要素が接続される場合、前記制御手段は、画像形成中において、パルス変調方式のみを用いる
ことを特徴とする請求項１に記載の画像形成装置。
【請求項７】
前記新たな電気要素は、給紙装置又は後処理装置である
ことを特徴とする請求項６に記載の画像形成装置。
【請求項８】
画像形成中に、前記デューティ比が前記所定値を超えると判断される場合であっても、画像形成される画像がテキストであるか、又は、その印字率が所定値より少ないときには、前記制御手段は、前記パルス変調方式を用いて、前記駆動回路に前記第一給電を行わせる
ことを特徴とする請求項１に記載の画像形成装置。
【請求項９】
前記制御手段により、前記位相制御方式を用いて前記発熱体に対する前記交流電流の入力を制御し、前記定着部材のウォームアップが完了した直後に、プリントジョブを実行する場合、前記算出手段は、前記発熱体の通電比率を算出し、前記判断手段は、算出された前記通電比率が第２の所定値を超えるか否かを判断し、
前記制御手段は、前記通電比率が前記第２の所定値を超えないと判断する場合、前記パルス変調方式に切り替え、前記駆動回路に前記第一給電を行わせる
ことを特徴とする請求項１に記載の画像形成装置。
【請求項１０】
前記パルス変調方式は、パルス幅変調方式又はパルス周波数変調方式である
ことを特徴とする請求項１〜９に記載の画像形成装置。
【請求項１１】
前記パルス変調方式において用いられる周波数は、可聴域の上限以上である
ことを特徴とする請求項１〜１０に記載の画像形成装置。
【請求項１２】
一連の静電複写プロセスを実行する各処理部において、個々の処理を実現するために供する複数の電気要素を有し、一の電気要素としての発熱体に対する通電を制御して、前記発熱体により加熱される定着部材によりシート上にトナー像を定着させるコンピューターとしての画像形成装置において用いられる制御用のコンピュータープログラムであって、
前記画像形成装置は、所定値以下のデューティ比を実使用範囲とするパルス変調方式により、交流電源からの電力を変換して前記発熱体に供給する第一給電と、前記交流電源からの交流電流の半周期毎に前記交流電流の前記発熱体への入力を一時的に遮断する位相制御方式により、前記交流電源からの電力を変換して前記発熱体に供給する第二給電とを切り替え可能な駆動回路を備え、
前記コンピュータープログラムは、前記コンピューターに、
複数の電気要素のうち第一の組合せに係る電気要素に電力を供給する第一の態様から、前記第一の組合せとは異なる第二の組合せに係る電気要素に電力を供給する第二の態様に切り替える前に、前記発熱体の最大の定格電力を示す定格電力情報と、前記発熱体を除き、前記第二の態様において電力を供給されるべき複数の電気要素の消費電力を示す消費電力情報を取得する取得ステップと、
前記画像形成装置に割り当てられた上限電力から前記消費電力情報により示される消費電力を差し引いた電力の範囲内、かつ、前記定格電力情報により示される最大の定格電力の範囲内で、最大限の電力を、前記発熱体に割り当てる割当消費電力として、算出する算出ステップと、
算出された前記割当消費電力を、前記第一給電により、前記発熱体に供給するとした場合のデューティ比が前記所定値を超えるか否かを判断する判断ステップと、
前記デューティ比が前記所定値を超えないと判断される場合、前記第二の態様において前記駆動回路に前記第一給電を行わせ、前記デューティ比が前記所定値を超えると判断される場合、前記第二の態様において前記駆動回路に前記第二給電を行わせる制御ステップとを
実行させるためのコンピュータープログラム。
【発明の詳細な説明】
【技術分野】
【０００１】
本発明は、画像形成装置において、定着部に内蔵される定着ヒーターへの通電を制御する技術に関する。
【背景技術】
【０００２】
電気機器は、日本国内においては、１個のコンセントから供給される電流の上限値である１５Ａ（アンペア）以下（電力では、上限値１５００Ｗ（ワット）以下）で動作する事が求められている。このため、画像形成装置は、上限値以下で動作するように、イメージリーダー部、プリンター部、後処理装置等への電流供給を制御している。
また、画像形成装置においては、定着ヒーターを内蔵する定着部による加熱及び加圧により、トナー像を記録シートに定着させる。特許文献１によると、ＰＷＭ（Ｐｕｌｓｅ  Ｗｉｄｔｈ  Ｍｏｄｕｌａｔｉｏｎ）制御により、所定のデューティ比及び所定のスイッチング周波数でオンとオフを繰り返す制御信号を生成し、この制御信号を用いてスイッチング素子により入力電流をスイッチングして、駆動電流を定着ヒーターに供給する。このとき、定着ヒーターに流れる駆動電流が、スイッチングのオフにより低下してゼロに至るまでの途中で、次周期の駆動電流の供給が開始されないように、制御信号のデューティ比を、所定の閾値、例えば、７０％以下に設定する。７０％を超えるデューティ比を設定すると、周期の切り替り時に、駆動電流がゼロとならず、チョッパ回路が備える還流ダイオードにリカバリー電流が流れ、ノイズが発生する原因となるからである。
【先行技術文献】
【特許文献】
【０００３】
【特許文献１】特開２０１６−９２８８７号公報
【特許文献２】特開平１０−６３３５２号公報
【発明の概要】
【発明が解決しようとする課題】
【０００４】
例えば、図２０（ａ）に示すように、画像形成装置全体で使用できる電力の上限値が１５００Ｗ（ワット）であり、定着ヒーターを除く画像形成装置全体（以下、本体）で使用する電力が２００Ｗであり、定着ヒーターについて最大の定格電力１３００Ｗで使用する場合、画像形成装置全体で使用する総電力は、１５００Ｗとなるので、総電力は、上限値を超えておらず、問題はない。
【０００５】
ここで、例えば、画像形成装置に、オプション装置として、給紙装置や後処理装置が追加される場合について考える。この場合、図２０（ｂ）に示すように、オプション装置の電力として、１００Ｗ分が増加するなら、本体の電力２００Ｗと、定着ヒーターの電力１３００Ｗと、オプション装置の電力１００Ｗとを加算した総電力は、上限値を超えることとなる。
【０００６】
このような場合には、定着ヒーターに供給する電力を下げればよい。ところが、上記のように、ＰＷＭ制御において、７０％を超えるデューティ比を設定すると、ノイズが発生するおそれがあるから、デューティ比は、７０％以下に制限される。そこで、図２０（ｃ）に示すように、ノイズの発生を避けるためデューティ比を例えば７０％以下に設定して、ＰＷＭ制御により定着ヒーターに対して電流を供給する。このとき、定着ヒーターの電力は、９１０Ｗとなり、本体の電力２００Ｗ及びオプションの装置の電力１００Ｗを加算した総電力は、１２１０Ｗである。従って、総電力が上限値を超えることはない。
【０００７】
この場合、上限値１５００Ｗのうち、２９０Ｗ（＝１５００Ｗ−１２１０Ｗ）は、使用されないこととなる。このため、定着ヒーターの電力として、最大限を使用できる場合と比較すると、定着ヒーターによるウォームアップ時間が延びてしまう、という問題がある。
本発明は、このような問題を解決し、オプション装置の追加等により、使用される電力が変化する場合であっても、定着ヒーターの最大定格電力内で、定着ヒーターに割り当て可能な電力をより多く取れるようにすることにより、定着部のウォームアップ時間を短縮することができる画像形成装置を提供することを目的とする。
【課題を解決するための手段】
【０００８】
上記目的を達成するため、本発明は、一連の静電複写プロセスを実行する各処理部において、個々の処理を実現するために供する複数の電気要素を有し、一の電気要素としての発熱体に対する通電を制御して、前記発熱体により加熱される定着部材によりシート上にトナー像を定着させる画像形成装置であって、複数の電気要素のうち第一の組合せに係る電気要素に電力を供給する第一の態様から、前記第一の組合せとは異なる第二の組合せに係る電気要素に電力を供給する第二の態様に切り替える前に、前記発熱体の最大の定格電力を示す定格電力情報と、前記発熱体を除き、前記第二の態様において電力を供給されるべき複数の電気要素の消費電力を示す消費電力情報を取得する取得手段と、前記画像形成装置に割り当てられた上限電力から前記消費電力情報により示される消費電力を差し引いた電力の範囲内、かつ、前記定格電力情報により示される最大の定格電力の範囲内で、最大限の電力を、前記発熱体に割り当てる割当消費電力として、算出する算出手段と、所定値以下のデューティ比を実使用範囲とするパルス変調方式により、交流電源からの電力を変換して前記発熱体に供給する第一給電と、前記交流電源からの交流電流の半周期毎に前記交流電流の前記発熱体への入力を一時的に遮断する位相制御方式により、前記交流電源からの電力を変換して前記発熱体に供給する第二給電とを切り替え可能な駆動回路と、算出された前記割当消費電力を、前記第一給電により、前記発熱体に供給するとした場合のデューティ比が前記所定値を超えるか否かを判断する判断手段と、前記デューティ比が前記所定値を超えないと判断される場合、前記第二の態様において前記駆動回路に前記第一給電を行わせ、前記デューティ比が前記所定値を超えると判断される場合、前記第二の態様において前記駆動回路に前記第二給電を行わせる制御手段とを備えることを特徴とする。
【０００９】
ここで、前記複数の電気要素は、前記静電複写プロセスを実行するために供される最小限の電気要素及び前記静電複写プロセスに対して付加的に実行する処理を実現するため選択的に供される電気要素を含み、前記第一の組合せに係る電気要素は、前記最小限の電気要素であり、前記第二の組合せに係る電気要素は、前記第一の組合せに係る電気要素に加えて、前記選択的に供される電気要素を含む、としてもよい。
【００１０】
ここで、トナー粒子の融着温度に到達するまで前記定着部材が加熱されるプロセスにおいて、前記第一の態様から前記第二の態様に切り替わる、としてもよい。
ここで、前記駆動回路は、還流ダイオードを含むチョッパ回路を備え、前記所定値は、前記還流ダイオードにリカバリー電流が発生しない限界を示す、パルス変調方式におけるデューティ比に相当する、としてもよい。
【００１１】
ここで、前記位相制御方式は、トナー粒子の融着温度に到達するまで前記定着部材が加熱されるプロセスにおいて用いられる、としてもよい。
ここで、前記画像形成装置に、新たな電気要素が接続される場合、前記制御手段は、画像形成中において、パルス変調方式のみを用いる、としてもよい。
ここで、前記新たな電気要素は、給紙装置又は後処理装置である、としてもよい。
【００１２】
ここで、画像形成中に、前記デューティ比が前記所定値を超えると判断される場合であっても、画像形成される画像がテキストであるか、又は、その印字率が所定値より少ないときには、前記制御手段は、前記パルス変調方式を用いて、前記駆動回路に前記第一給電を行わせる、としてもよい。
ここで、前記制御手段により、前記位相制御方式を用いて前記発熱体に対する前記交流電流の入力を制御し、前記定着部材のウォームアップが完了した直後に、プリントジョブを実行する場合、前記算出手段は、前記発熱体の通電比率を算出し、前記判断手段は、算出された前記通電比率が第２の所定値を超えるか否かを判断し、前記制御手段は、前記通電比率が前記第２の所定値を超えないと判断する場合、前記パルス変調方式に切り替え、前記駆動回路に前記第一給電を行わせる、としてもよい。
【００１３】
ここで、前記パルス変調方式は、パルス幅変調方式又はパルス周波数変調方式である、としてもよい。
ここで、前記パルス変調方式において用いられる周波数は、可聴域の上限以上である、としてもよい。
また、本発明は、一連の静電複写プロセスを実行する各処理部において、個々の処理を実現するために供する複数の電気要素を有し、一の電気要素としての発熱体に対する通電を制御して、前記発熱体により加熱される定着部材によりシート上にトナー像を定着させるコンピューターとしての画像形成装置において用いられる制御用のコンピュータープログラムであって、前記画像形成装置は、所定値以下のデューティ比を実使用範囲とするパルス変調方式により、交流電源からの電力を変換して前記発熱体に供給する第一給電と、前記交流電源からの交流電流の半周期毎に前記交流電流の前記発熱体への入力を一時的に遮断する位相制御方式により、前記交流電源からの電力を変換して前記発熱体に供給する第二給電とを切り替え可能な駆動回路を備え、前記コンピュータープログラムは、前記コンピューターに、複数の電気要素のうち第一の組合せに係る電気要素に電力を供給する第一の態様から、前記第一の組合せとは異なる第二の組合せに係る電気要素に電力を供給する第二の態様に切り替える前に、前記発熱体の最大の定格電力を示す定格電力情報と、前記発熱体を除き、前記第二の態様において電力を供給されるべき複数の電気要素の消費電力を示す消費電力情報を取得する取得ステップと、前記画像形成装置に割り当てられた上限電力から前記消費電力情報により示される消費電力を差し引いた電力の範囲内、かつ、前記定格電力情報により示される最大の定格電力の範囲内で、最大限の電力を、前記発熱体に割り当てる割当消費電力として、算出する算出ステップと、算出された前記割当消費電力を、前記第一給電により、前記発熱体に供給するとした場合のデューティ比が前記所定値を超えるか否かを判断する判断ステップと、前記デューティ比が前記所定値を超えないと判断される場合、前記第二の態様において前記駆動回路に前記第一給電を行わせ、前記デューティ比が前記所定値を超えると判断される場合、前記第二の態様において前記駆動回路に前記第二給電を行わせる制御ステップとを実行させることを特徴とする。
【発明の効果】
【００１４】
上記に説明したように、本発明によると、定着ヒーターの最大定格電力内で、定着ヒーターに割り当て可能な電力をより多く取れるようにすることにより、定着部のウォームアップ時間を短縮することができる。
【図面の簡単な説明】
【００１５】
【図１】画像形成システム１の概略構成を示す図である。
【図２】主制御部４０の構成を示すブロック図である。
【図３】消費電力テーブル２０１の一例を示す。
【図４】（ａ）ウォームアップ時に稼働する電気部材リストの一例を示す。（ｂ）ウォームアップ時に稼働する別の電気部材リストの一例を示す。（ｃ）ウォームアップ時に稼働するさらに別の電気部材リストの一例を示す。
【図５】（ａ）プリント時に稼働する電気部材リストの一例を示す。（ｂ）プリント時に稼働する別の電気部材リストの一例を示す。（ｃ）プリント時に稼働するさらに別の電気部材リストの一例を示す。
【図６】省電力モード時に稼働する電気部材リストの一例を示す。
【図７】ＯＮ＿ＤＵＴＹ対応表の一例を示す。
【図８】（ａ）プリントジョブに付随するプリントジョブデータの一例を示す。（ｂ）プリントジョブに付随する別のプリントジョブデータの一例を示す。（ｃ）プリントジョブに付随するさらに別のプリントジョブデータの一例を示す。
【図９】駆動回路７０及びその周辺の回路の構成を示す回路図である。
【図１０】（ａ）商用電源１９の電圧の波形を示す。（ｂ）商用電源１９の電流の波形を示す。（ｃ）ＰＷＭ制御による定着ヒーターの駆動電流の波形を示す。（ｄ）第一制御信号の波形を示す。（ｅ）位相制御による定着ヒーターの駆動電流の波形を示す。（ｆ）第二制御信号の波形を示す。
【図１１】上段にスイッチング素子７６がオン期間中に定着ヒーター５３に流れる電流を示し、下段にスイッチング素子７６がオフ期間中に定着ヒーター５３に流れる電流を示す。
【図１２】電源オン直後からの定着ヒーター５３に流れる駆動電流の波形等を示す。図１３へ続く。
【図１３】電源オン直後からの定着ヒーター５３に流れる駆動電流の波形等を示す。図１２から続く。
【図１４】電源オン直後からの定着ヒーター５３に流れる駆動電流の波形等を示す。図１５へ続く。
【図１５】電源オン直後からの定着ヒーター５３に流れる駆動電流の波形等を示す。図１４から続く。
【図１６】画像形成装置１０全体の概要動作を示すフローチャートである。
【図１７】プリンター制御部４５のウォームアップ時の動作を示すフローチャートである。
【図１８】プリンター制御部４５のプリント処理の動作を示すフローチャートである。図１９へ続く。
【図１９】プリンター制御部４５のプリント処理の動作を示すフローチャートである。図１８から続く。
【図２０】（ａ）本体と定着ヒーターに電力を割り当てる場合の一例を示す。（ｂ）画像形成装置に加えて、オプション装置がさらに稼働する場合における電力の割り当ての一例を示す。（ｃ）ＰＷＭ制御による場合の電力の割り当ての一例を示す。（ｄ）本発明の位相制御による場合の電力の割り当ての一例を示す。
【発明を実施するための形態】
【００１６】
１  実施の形態
本発明に係る一の実施の形態について図面を参照しながら説明する。
図１は、画像形成システム１の概略構成を示す図である。
この図に示すように、画像形成システム１は、電子写真方式により記録シートに画像を形成する画像形成装置１０と、オプション装置として、画像形成装置１０から出力される画像形成済みの記録シートの束に対して、ステープル綴じなどの後処理を施す後処理装置１６とから構成されている。また、画像形成装置１０は、オプション装置として、大量の記録シートを収容し、給紙する給紙部（給紙装置）１４を備えている。
【００１７】
画像形成システム１は、ウォームアップモード、プリントモード及び省電力モードの３モードを切り替えて動作する。また、画像形成システム１は、一連の静電複写プロセスを実行する各処理部において、個々の処理を実現するために供する複数の電気部材（電気要素）を有する。ここで、複数の電気部材は、静電複写プロセスを実行するために供される最小限の電気部材及び静電複写プロセスに対して付加的に実行する処理を実現するため選択的に供される電気部材を含む。
【００１８】
１．１  画像形成装置１０
画像形成装置１０は、スキャナー、プリンター及びコピー機の機能を有するタンデム型のカラー複合機（ＭＦＰ：MultiFunction Peripheral）である。
画像形成装置１０は、イメージリーダー部１１、プリンター部１２、給紙部１３及びオプション装置としての給紙部１４とから構成されている。
【００１９】
イメージリーダー部１１は、自動原稿搬送装置を有している。自動原稿搬送装置は、原稿トレイにセットされた原稿を１枚ずつ原稿ガラス板へ搬送する。イメージリーダー部１１は、自動原稿搬送装置によって原稿ガラス板の所定位置に搬送された原稿の画像をスキャナーの移動によって読み取り、レッド（Ｒ）、グリーン（Ｇ）、ブルー（Ｂ）の多値デジタル信号からなる画像データを得る。
【００２０】
イメージリーダー部１１で得られた各色成分の画像データは、後述する主制御部４０において各種のデータ処理を受け、更にイエロー（Ｙ）、マゼンタ（Ｍ）、シアン（Ｃ）、ブラック（Ｋ）の各再現色の画像データに変換される。
プリンター部１２は、電子写真方式により画像を形成する。プリンター部１２は、中間転写ベルト２１、中間転写ベルト２１を張架する駆動ローラー、従動ローラー、バックアップローラー、中間転写ベルト２１に対向して中間転写ベルト２１の走行方向Ｘに沿って所定間隔で配置された作像部２０Ｙ、２０Ｍ、２０Ｃ、２０Ｋ、定着部５０、主制御部４０、駆動回路７０等からなる。
【００２１】
各作像部は、像担持体である感光体ドラム、感光体ドラム表面を露光走査するためのＬＥＤアレイ、帯電チャージャ、現像器、クリーナー及び１次転写ローラーなどからなる。
給紙部１３は、サイズの異なる記録シートを収容する給紙カセット６０、６１、６２と、この記録シートを各給紙カセットから搬送路に繰り出すためのピックアップローラー６３、６４、６５とから構成されている。オプション装置としての給紙部１４は、大量の記録シートを収容する給紙カセット６６とピックアップローラー６７から構成されている。
【００２２】
作像部２０Ｙ〜２０Ｋのそれぞれにおいて、各感光体ドラムは、帯電チャージャにより一様に帯電され、ＬＥＤアレイにより露光を受け、感光体ドラムの表面に静電潜像が形成される。各静電潜像は、それぞれ各色の現像器により現像され、各感光体ドラムの表面にＹ〜Ｋ色のトナー像が形成され、トナー像は、中間転写ベルト２１の裏面側に配設された各１次転写ローラーの静電作用により、中間転写ベルト２１の表面上に順次転写される。
【００２３】
一方、給紙部１３又はオプション装置としての給紙部１４のいずれかの給紙カセットから、作像部２０Ｙ〜２０Ｋによる作像動作に合わせて、記録シートが給送され、２次転写ローラー２２とバックアップローラーとが中間転写ベルト２１を挟んで対向する位置（２次転写位置）へと搬送路上を搬送され、２次転写位置で、２次転写ローラー２２の静電的作用により、中間転写ベルト２１上のＹ〜Ｋ色のトナー像が記録シートへ２次転写される。Ｙ〜Ｋ色のトナー像が２次転写された記録シートは、さらに定着部５０まで搬送される。
【００２４】
主制御部４０に含まれ、後述するヒーター制御部（制御手段）４８は、第一制御方法と第二制御方法を切り替えて制御するとともに、オンとオフを繰り返す制御信号を生成し、生成した制御信号を駆動回路７０に対して供給する。駆動回路７０は、全波整流された交流電流を、制御信号を用いてスイッチングして、駆動電流を生成し、生成した駆動電流を、加熱ローラー（定着部材）５１を加熱する定着ヒーター５３（発熱体、後述する）に対して供給する。これにより、定着部５０の加熱ローラー５１は、定着ヒーター５３により目標の定着温度（目標温度、トナー粒子の融着温度）まで加熱される。ここで、第一制御方法は、パルス変調方式であり、第二制御方法は、交流電流の半周期毎に（つまり、全波整流された電流の周期毎に）、その立ち上がりの時間帯に、所定時間のみ、交流電流の定着ヒーター５３への入力を遮断する位相制御方式である。
【００２５】
記録シートの表面のトナー像は、定着部５０の加熱ローラー５１とこれに圧接された加圧ローラー５２との間に形成される定着ニップを通過する際に加熱、加圧により、記録シートの表面に融着して定着され、記録シートは、定着部５０を通過した後、搬送ユニット１５へと送出される。
搬送ユニット１５では、水平方向に搬送路が形成されており、当該搬送路に沿って列設された複数の搬送ローラー対によって、画像形成済みの記録シートが後処理装置１６へと出力される。
【００２６】
画像形成装置１０の上部には、操作パネルが設けられている。操作パネルは、利用者からの、コピー開始の指示、コピー枚数の設定、複写条件の設定、オプションとしての給紙部１４の使用の有無、オプション装置としての後処理装置１６におけるステープル綴じなどの後処理の設定などを受け付け、受け付けた内容を主制御部４０に通知する。また、操作パネルには、液晶表示板などで構成される表示部が設けられ、利用者によって設定された内容や各種のメッセージを表示する。
【００２７】
１．２  後処理装置１６
後処理装置１６は、後処理として、複数枚の記録シートの束（シート束）を整合する整合処理機能及びシート束にステープル綴じを行うステープル綴じ処理機能を有し、画像形成装置１０からの指示に基づき各処理機能を実行する。
後処理装置１６は、図１に示すように、搬送路１７及び後処理ユニット１８から構成されている。
【００２８】
後処理装置１６は、搬送ユニット１５から出力される記録シートに対して、シート束の整合及びステープル綴じ等の後処理を実行しない場合は、その記録シートを搬送路１７を搬送させて第一の排出トレイに排出させる。
一方、後処理を実行する場合には、搬送ユニット１５から出力される記録シートは、搬送路１７から分岐して後処理ユニット１８に搬送される。後処理ユニット１８は、シート束を整合し、シート束にステープル綴じを行い、整合、ステープル綴じが行われたシート束を第二の排出トレイに排出させる。
【００２９】
１．３  定着部５０
定着部５０は、図１に概略断面図を示し、図９に概略平面図を示すように、加熱ローラー５１、加圧ローラー５２、温度検知センサー５４、駆動モーター５５及びその他の部材から構成されている。
加熱ローラー５１は、金属を材料とする筒状の芯金の周面に、耐熱離型層を被覆して、形成されている。芯金の内部に、熱源としての定着ヒーター５３を内蔵する。定着ヒーター５３は、一例として、ハロゲンヒーターである。定着ヒーター５３の最大の定格電力は、例えば、１３００Ｗである。
【００３０】
加熱ローラー５１の表面に対向して、表面の温度を測定する温度検知センサー５４が設けられている。加熱ローラー５１の表面の温度が温度検知センサー５４により検知され、ヒーター制御部４８（図９）による定着ヒーター５３への通電制御により、加熱ローラー５１の表面の温度が目標温度となるように、制御される。
加圧ローラー５２は、金属を材料とする筒状の芯金の周面に、耐熱離型層を被覆して、形成されている。
【００３１】
加圧ローラー５２は、図示していない付勢部材の付勢力により、加熱ローラー５１を押圧する。これにより、加熱ローラー５１と加圧ローラー５２との接触領域である定着ニップが形成される。
加圧ローラー５２は、プリンター制御部４５（後述の図２）の制御の元で、駆動モーター５５の回転駆動力により回転する。加熱ローラー５１は、加圧ローラー５２の回転に従動して回転する。
【００３２】
１．４  主制御部４０
主制御部４０の構成について説明する。
図２は、主制御部４０の構成を示すブロック図である。
主制御部４０は、この図に示すように、ＲＡＭ４１、ＲＯＭ４２、ＣＰＵ４３、ネットワークＩ／Ｆ部４４、プリンター制御部４５、画像メモリ４６及びイメージリーダー制御部４７などから構成されている。
【００３３】
主制御部４０は、利用者による電源ＯＮの動作を受け付けると、プリンター制御部４５、イメージリーダー制御部４７等を介して、イメージリーダー部１１、プリンター部１２、給紙部１３、給紙部１４及び後処理装置１６に対して、初期処理を行うように指示し、また、プリンター制御部４５に対して、ウォームアップ時の制御を行うように指示する。
また、主制御部４０は、利用者の操作により、プリントジョブを受け付けた場合、又は、外部の装置からネットワークＩ／Ｆ部４４を介して、プリントジョブを受け付けた場合、プリンター制御部４５に対して、プリント処理を行うように指示する。
【００３４】
また、プリントジョブが無く、かつ、プリントジョブが無くなってから、所定時間（例えば、５分）を経過した場合、主制御部４０は、プリンター制御部４５のヒーター制御部４８に対して、省電力モードの場合の第一制御方法により、定着ヒーター５３の温度を制御するように指示し、画像形成装置１０全体を省電力モードに移行させる。ここで、省電力モードの場合の第一制御方法は、ＯＮ＿ＤＵＴＹ（デューティ比）が３０％のＰＷＭ制御（パルス幅変調方式）による定着ヒーター５３への通電制御である。
【００３５】
プリンター制御部４５は、給紙部１３又は給紙部１４からの給送動作や作像部２０Ｙ〜２０Ｋの作像動作などを統一的に制御し、画像形成動作を実行させる。プリンター制御部４５は、内部にＣＰＵやＲＯＭを備えており、ＲＯＭに格納された制御プログラムに基づき、それぞれの制御を実行する。
イメージリーダー制御部４７は、イメージリーダー部１１を制御し、原稿の画像の読み取り動作を実行させる。
【００３６】
ＲＡＭ４１は、各種の制御変数及び操作パネルにより設定されたコピー枚数などを一時記憶すると共に、ＣＰＵ４３によるプログラム実行時のワークエリアを提供する。
ＲＯＭ４２には、コピー動作などの各種ジョブを実行させるための制御プログラムなどが格納されている。
ネットワークＩ／Ｆ部４４は、ＬＡＮなどのネットワークを介してＰＣ（パーソナルコンピューター）などの外部端末装置からのプリントジョブを受け付ける。
【００３７】
ＣＰＵ４３は、ＲＯＭ４２に記憶されている制御プログラムに従って動作することにより、ネットワークＩ／Ｆ部４４、プリンター制御部４５、イメージリーダー制御部４７等を制御する。例えば、ＣＰＵ４３は、制御プログラムに従って動作することにより、ネットワークＩ／Ｆ部４４によりプリントジョブが受け付けられると、プリンター制御部４５に指示して、そのプリントジョブのデータに基づき、画像形成動作を実行させる。
【００３８】
画像メモリ４６は、プリントジョブ等の画像データを一時的に記憶する。
１．５  プリンター制御部４５
プリンター制御部４５は、図２に示すように、ヒーター制御部４８、読出部（取得手段）４５ａ、算出部（算出手段）４５ｂ、判断部（判断手段）４５ｃ、生成部４５ｄ及び記憶部４９を含んでいる。具体的には、プリンター制御部４５は、内部にＣＰＵ、ＲＯＭ、ＲＡＭを備えており、ヒーター制御部４８、読出部４５ａ、算出部４５ｂ、判断部４５ｃ、生成部４５ｄは、それぞれ、ＲＯＭに格納された制御プログラムに従って、ＣＰＵが動作することにより、その機能を果たす。
【００３９】
（１）記憶部４９
記憶部４９は、一例として、不揮発性の半導体メモリから構成されている。なお、半導体メモリには、限定されない。ハードディスクから構成されているとしてもよい。
記憶部４９は、図２に示すように、消費電力テーブル２０１、ＯＮ＿ＤＵＴＹ対応表２５１、電気部材リスト２２１（図４（ａ））、２２２（図４（ｂ））及び２２３（図４（ｃ））のうちいずれか一つ、及び、電気部材リスト２４１を記憶している。
【００４０】
また、記憶部４９は、プリントの実行の際に、プリントジョブに対応する電気部材リスト２３１（図５（ａ））、２３２（図５（ｂ））、２３３（図５（ｃ））を一時的に記憶し、プリントの実行の際に、プリントジョブに対応するプリントジョブデータ２６１（図８（ａ））、２６２（図８（ｂ））、２６３（図８（ｃ））を一時的に記憶する。
（消費電力テーブル２０１）
消費電力テーブル２０１は、画像形成システム１を構成する複数の電気部材のそれぞれについて、モード毎に、消費電力を記憶している。
【００４１】
ここで、電気部材は、定着ヒーター５３、画像形成装置１０の本体（定着ヒーター５３を除く）、オプション装置としての給紙部１４、オプション装置としての後処理装置１６の搬送路１７及び後処理ユニット１８に備えられている電気回路やモーター等である。これらの電気部材は、商用電源から供給される交流電力により動作する。
具体的には、消費電力テーブル２０１は、一例として、図３にそのデータ構造を示すように、画像形成システム１を構成する複数の電気部材のそれぞれについて、消費電力情報を記憶している。各消費電力情報は、電気部材名、ＩＤ及び３個の組からなる。各組は、モード及び消費電力を含む。
【００４２】
電気部材名は、対応する電気部材を識別する名称である。なお、消費電力テーブル２０１のデータ構造を簡略化するために、電気部材名は、個々の電気部材ではなく、１個以上の電気部材からなるグループを示している。例えば、各電気部材名は、例えば、画像形成装置１０の本体（定着ヒーター５３を除く）、定着ヒーター５３、オプション１としての後処理装置１６の搬送路１７、オプション２としての後処理装置１６の後処理ユニット１８及びオプション３としての給紙部１４を示している。
【００４３】
ＩＤは、対応する電気部材を識別する識別情報である。３個の組は、ウォームアップモード、プリントモード及び省電力モードに対応する。なお、消費電力テーブル２０１において、「ＷＵ」、「ＰＲ」及び「ＷＴ」は、それぞれ、ウォームアップモード、プリントモード及び省電力モードを示す。消費電力は、電気部材名により示されるグループに含まれる電気部材の消費電力の合計値である。
【００４４】
具体的には、消費電力テーブル２０１は、消費電力情報２０２、２０３、２０４、２０５及び２０６を含む。消費電力情報２０２、２０３、２０４、２０５及び２０６は、それぞれ、本体（定着ヒーターを除く）、定着ヒーター、オプション１、オプション２及びオプション３に対応している。
例えば、消費電力情報２０２は、本体（定着ヒーターを除く）に対応し、そのＩＤは、「００１」であり、ウォームアップモード、プリントモード及び省電力モードに対応する消費電力は、それぞれ、「２００Ｗ」、「４００Ｗ」及び「１００Ｗ」である。
【００４５】
（電気部材リスト）
電気部材リストは、画像形成システム１を構成する複数の電気部材のうち、態様毎に、動作させるべき電気部材のＩＤを含んでいる。ここで、態様は、上記において説明した  ウォームアップモード、プリントモード及び省電力モードなどのモードをさらに詳細に区分したものである。ウォームアップモード及びプリントモードは、それぞれ、一つ又は複数の態様に区分される。省電力モードは、例えば、一つの態様のみを含む。上記の複数の態様の各々に対応して、一つの組合せの複数の電気部材が定まる。組合せは、以下に示す電気部材リストにより示される。
【００４６】
例えば、図４（ａ）、（ｂ）、（ｃ）に示す電気部材リスト２２１、２２２、２２３は、それぞれ、ウォームアップモードにおいて、動作させるべき電気部材のＩＤを含む。電気部材リスト２２１、２２２、２２３は、それぞれ、予め定められている。記憶部４９には、画像形成システム１の構成に応じて、電気部材リスト２２１、２２２、２２３のうちのいずれか一つが記憶されている。なお、これに代えて、記憶部４９には、電気部材リスト２２１、２２２、２２３が記憶されており、画像形成システム１の構成に応じて、電気部材リスト２２１、２２２、２２３のうちのいずれか一つが選択される、としてもよい。
【００４７】
電気部材リスト２２１は、「００１」及び「００２」を含み、これらのＩＤは、それぞれ、本体（定着ヒーターを除く）及び定着ヒーターを示している。この場合、ウォームアップモードは、一つの態様を含み、電気部材リスト２２１は、ウォームアップモードにおける一つの態様に対応する。電源がオンされると、ウォームアップモードの一つの態様となる。電源オフを一つの態様と考えると、電源オフの態様から、ウォームアップモードの一つの態様に切り替わると言うことができる。
【００４８】
ここで、電気部材リスト２２１は、一つの組合せに係る電気部材を示し、これらの電気部材は、画像形成システム１における静電複写プロセスを実行するために供される最小限の電気部材の一例である。
また、電気部材リスト２２２は、「００１」、「００２」、「００３」及び「００４」を含み、これらのＩＤは、それぞれ、本体（定着ヒーターを除く）、定着ヒーター、オプション１及びオプション２を示している。この場合、ウォームアップモードは、一つの態様を含み、電気部材リスト２２２は、ウォームアップモードにおける一つの態様に対応する。電源がオンされると、ウォームアップモードの一つの態様となる。
【００４９】
ここで、電気部材リスト２２２は、一つの組合せに係る電気部材を示し、これらの電気部材は、画像形成システム１における静電複写プロセスを実行するために供される最小限の電気部材、及び、静電複写プロセスに対して付加的に実行する処理を実現するため選択的に供される電気部材を含む。
また、電気部材リスト２２３は、電気部材リスト２２４及び２２５を含む。ウォームアップモードにおいて、電気部材リスト２２４に示される機器が動作した後、次に、電気部材リスト２２５に示される機器が動作する。具体的には、電気部材リスト２２４は、「００１」及び「００２」を含み、電気部材リスト２２５は、「００１」、「００２」、「００３」及び「００４」を含む。「００１」、「００２」、「００３」及び「００４」は、上記の通り、それぞれ、本体（定着ヒーターを除く）、定着ヒーター、オプション１及びオプション２を示している。この場合、ウォームアップモードは、第１及び第２の二つの態様を含み、電気部材リスト２２４及び２２５は、それぞれ、ウォームアップモードにおける第１及び第２の二つの態様に対応する。電源がオンされると、ウォームアップモードの第１の態様となる。次に、ウォームアップモードにおいて、第１の態様から第２の態様に切り替わる。
【００５０】
ここで、電気部材リスト２２４は、一つの組合せに係る電気部材を示し、これらの電気部材は、画像形成システム１における静電複写プロセスを実行するために供される最小限の電気部材の一例である。また、電気部材リスト２２５は、一つの組合せに係る電気部材を示し、これらの電気部材は、画像形成システム１における静電複写プロセスを実行するために供される最小限の電気部材、及び、静電複写プロセスに対して付加的に実行する処理を実現するため選択的に供される電気部材を含む。
【００５１】
次に、図５（ａ）、（ｂ）、（ｃ）に示す電気部材リスト２３１、２３２、２３３は、それぞれ、プリントモードにおいて、動作させるべき電気部材のＩＤを含む。電気部材リスト２３１、２３２、２３３は、それぞれ、当該電気部材リストに対応するプリントジョブが受け付けられてから、当該プリントジョブに基づいて、生成される。
電気部材リスト２３１は、「００１」、「００２」及び「００３」を含む。また、電気部材リスト２３２は、「００１」、「００２」、「００３」及び「００４」を含む。また、電気部材リスト２３３は、「００１」、「００２」、「００３」及び「００５」を含む。
【００５２】
プリントモードの場合、プリントモードは、複数のプリントジョブに対応して、複数の態様を含み、例えば、電気部材リスト２３１、２３２、２３３は、それぞれ、プリントモードにおける第１、第２、第３の三つの態様に対応する。電気部材リスト２３１、２３２、２３３に対応する３個のプリントジョブがこの順序で実行されるとき、例えば、ウォームアップモードの態様からプリントモードにおける第１の態様に切り替わり、第１の態様から第２の態様に切り替わり、第２の態様から第３の態様に切り替わる。
【００５３】
次に、図６に示す電気部材リスト２４１は、省電力モードにおいて、動作させるべき電気部材のＩＤを含み、具体的には、「００１」、「００２」及び「００３」を含む。この場合、消費電力モードは、一つの態様を含み、電気部材リスト２４１は、消費電力モードにおける一つの態様に対応する。例えば、プンリトモードの態様から、消費電力モードの一つの態様に切り替わる。なお、消費電力モードは、複数の態様を含む、としてもよい。      
【００５４】
ここで、電気部材リスト２３１、２３２、２３３、２４１は、それぞれ、一つの組合せに係る電気部材を示し、これらの電気部材は、画像形成システム１における静電複写プロセスを実行するために供される最小限の電気部材、及び、静電複写プロセスに対して付加的に実行する処理を実現するため選択的に供される電気部材を含む。
（ＯＮ＿ＤＵＴＹ対応表２５１）
ＯＮ＿ＤＵＴＹ対応表２５１は、一例として、図７に示すように、複数の組を含んでいる。各組は、定着ヒーターの消費電力及びＯＮ＿ＤＵＴＹから構成される。
【００５５】
ＯＮ＿ＤＵＴＹ対応表２５１は、定着ヒーターの消費電力から、それに対応するＯＮ＿ＤＵＴＹを求めるために用いられる。
消費電力は、定着ヒーターに割り当てられる消費電力を示し、ＯＮ＿ＤＵＴＹは、この消費電力に対応するＯＮ＿ＤＵＴＹを示す。
（プリントジョブデータ）
プリントジョブデータは、プリントジョブに伴って、画像形成装置１０により生成され、又は、外部から受信される。
【００５６】
プリントジョブデータは、図８（ａ）〜（ｃ）に示すように、プリント制御情報及びプリントデータから構成される。プリント制御情報は、用紙サイズ、印刷枚数及びオプションの指定など、プリントモードの場合に必要なプリント条件等を示すデータである。例えば、用紙サイズは、印刷に用いる記録シートのサイズを示す。印刷枚数は、印刷されるべき記録シートの枚数を示す。オプションの指定は、記録シートを印刷する際に、用いられるオプションの機器を示す。プリントデータは、印刷されるべきデータを示し、テキストデータ、図形データ及び写真データなどから構成される。
【００５７】
図８（ａ）に示すプリントジョブデータ２６１は、プリント制御情報として、用紙サイズ「Ａ４」及び印刷枚数「１０枚」を含み、オプションの指定を含まない。
図８（ｂ）に示すプリントジョブデータ２６２は、プリント制御情報として、用紙サイズ「Ａ４」及び印刷枚数「１０枚」を含み、オプションとして、シート束のステープル綴じの指定を含む。
【００５８】
図８（ｃ）に示すプリントジョブデータ２６３は、プリント制御情報として、用紙サイズ「Ａ４」及び印刷枚数「１０００枚」を含み、オプションとして、大量の記録シートを収容する給紙カセット６６の使用の指定を含む。
（２）読出部４５ａ
（ウォームアップモード）
読出部４５ａは、ウォームアップを開始するときに、記憶部４９から、ウォームアップ時に用いる電気部材リストを読み出す。次に、読出部４５ａは、記憶部４９に記憶されている消費電力テーブル２０１から、読み出した電気部材リストに含まれる全てのＩＤについて、ウォームアップモードに対応する消費電力を読み出す。読出部４５ａは、読み出した消費電力を算出部４５ｂに対して出力する。
【００５９】
（プリントモード）
読出部４５ａは、プリントを開始するときに、記憶部４９から、実行対象であるプリントジョブに付随するプリントジョブデータに含まれるプリント制御情報を読み出す。読み出したプリント制御情報を生成部４５ｄに対して出力する。
読出部４５ａは、プリントを開始するときに、記憶部４９に記憶されている消費電力テーブル２０１から、生成部４５ｄにより生成された電気部材リストに含まれる全てのＩＤについて、プリントモードに対応する消費電力を読み出す。読出部４５ａは、読み出した消費電力を算出部４５ｂに対して出力する。
【００６０】
（省電力モード）
読出部４５ａは、省電力モードを開始するときに、記憶部４９から、省電力モードで用いる電気部材リストを読み出す。次に、読出部４５ａは、記憶部４９に記憶されている消費電力テーブル２０１から、読み出した電気部材リストに含まれる全てのＩＤについて、省電力モードに対応する消費電力を読み出す。読出部４５ａは、読み出した消費電力を算出部４５ｂに対して出力する。
【００６１】
（３）算出部４５ｂ
（ウォームアップモード）
算出部４５ｂは、次に示すようにして、画像形成システム１に割り当てられた上限値から、定着ヒーター５３を除くその他の電気部材の消費電力を差し引いた電力内、かつ、定着ヒーター５３の定格電力内で、可能な限り大きい電力（最大限の電力）を、定着ヒーター５３に割り当て可能な電力（割当消費電力）として、算出する。
【００６２】
このとき、現時点における加熱ローラー５１が有する熱量（つまり、加熱ローラー５１の周面の温度）を考慮して、定着ヒーター５３に割り当て可能な電力を算出してもよい。また、算出部４５ｂは、最大限の電力のうち、所定の割合の電力を、例えば、最大限の電力のうち、９０パーセントの電力を、定着ヒーター５３に割り当て可能な電力として、算出してもよい。
【００６３】
算出部４５ｂは、読出部４５ａにより読み出された消費電力の総和を算出する。
消費電力の総和が上限値より大きい場合、算出部４５ｂは、次式により、超過電力を算出する。
超過電力＝消費電力の総和−上限値
また、算出部４５ｂは、次式により、定着ヒーター５３の最大定格電力内で、可能な限り大きい、定着ヒーター５３に割り当て可能な電力（割当消費電力）を算出する。
【００６４】
割り当て可能な電力＝定着ヒーター５３の最大定格電力−超過電力
ここで、消費電力の総和が、画像形成システム１に割り当てられた上限値を超えないようにする。
つまり、算出部４５ｂは、画像形成システム１に割り当てられた上限値（上限電力）から画像形成システム１の消費電力（定着ヒーター５３の消費電力を除く）を差し引いた電力内、かつ、定着ヒーター５３の最大定格電力内で、可能な限り大きい電力（最大限の電力）を、定着ヒーター５３に対する割り当て可能な電力として、算出する。
【００６５】
また、算出部４５ｂは、記憶部４９に記憶されているＯＮ＿ＤＵＴＹ対応表２５１を用いて、定着ヒーター５３に割り当て可能な電力に対応するＯＮ＿ＤＵＴＹを求める。具体的には、算出部４５ｂは、ＯＮ＿ＤＵＴＹ対応表２５１から、定着ヒーター５３に割り当て可能な電力に等しい消費電力を検索し、検索して得られた消費電力に対応するＯＮ＿ＤＵＴＹを読み出す。なお、定着ヒーター５３に割り当て可能な電力に等しい消費電力がＯＮ＿ＤＵＴＹ対応表２５１に存在しない場合には、ＯＮ＿ＤＵＴＹ対応表２５１から、定着ヒーター５３に割り当て可能な電力に最も近い消費電力を求め、得られた消費電力とその前（又は後ろ）に存在する消費電力と、これらの消費電力にそれぞれ対応するＯＮ＿ＤＵＴＹとを用いて線型補間法により、定着ヒーター５３に割り当て可能な電力に対応するＯＮ＿ＤＵＴＹを算出してもよい。
【００６６】
ここで、ＯＮ＿ＤＵＴＹは、定着ヒーター５３に割り当て可能な電力の、定着ヒーター５３の最大の定格電力に対する比率に対応していると考えられる。
算出部４５ｂは、求めたＯＮ＿ＤＵＴＹを判断部４５ｃに対して出力する。
（プリントモード）
算出部４５ｂは、次に示すようにして、ウォームアップモードの場合と同様に、定着ヒーター５３に割り当て可能な電力を算出する。
【００６７】
算出部４５ｂは、読出部４５ａにより読み出された消費電力の総和を算出する。
消費電力の総和が上限値より大きい場合、算出部４５ｂは、交流電流の１周期における通電時間の比率である通電比率を算出する。具体的には、算出部４５ｂは、次のプリントジョブが実行されるときに、稼働すべき本体、定着ヒーター５３及びオプションの組合せ（図５（ａ）〜（ｃ）に示す電気部材リストを参照）により定まる消費電力（この消費電力は、図３に示す消費電力テーブル２０１に基づいて算出される）、並びに、現時点における加熱ローラー５１が有する熱量（つまり、加熱ローラー５１の周面の温度）を考慮して、定着ヒーター５３に割り当てる消費電力を算出する。次に、例えば、予め記憶している消費電力と通電比率の対応表に基づいて、割り当てる消費電力に対応する通電比率を求める。算出部４５ｂは、算出した通電比率を判断部４５ｃに対して出力する。
【００６８】
（省電力モード）
算出部４５ｂは、読出部４５ａにより読み出された消費電力の総和を算出する。
（４）判断部４５ｃ
判断部４５ｃは、温度検知センサー５４により検知された温度と目標温度とを比較する。
【００６９】
判断部４５ｃは、消費電力の総和と、画像形成システム１における消費電力の上限値とを比較する。
（ウォームアップモード）
判断部４５ｃは、ウォームアップモードの場合に、算出部４５ｂにより求められたＯＮ＿ＤＵＴＹが７１％〜９９％の範囲内にあるか否かを判断する。つまり、ＯＮ＿ＤＵＴＹが７０％を超えるか否かを判断する。ここで、ＯＮ＿ＤＵＴＹ７０％が閾値（所定値）である。
【００７０】
（プリントモード）
また、判断部４５ｃは、プリントモードの場合に、算出部４５ｂにより算出された通電比率が９０％未満か、９０％以上かを判断する。ここで、９０％が閾値（第２の所定値）である。
ここで、第二制御方法により、定着ヒーター５３に対して通電制御を行い、ウォームアップが完了した後に、オプションを伴って、プリントジョブを実行する場合、ウォームアップ時よりも、オプションの消費電力の分だけ、消費電力が多くなるので、さらに定着ヒーター５３に供給する電力を抑える必要がある。このような場合、第二制御方法から、第一制御方法に切り替え、ＯＮ＿Ｄｕｔｙを７０％以下に設定する。このとき、第二制御方法から第一制御方法への切り替えは、リカバリー電流が発生するＯＮ＿ＤＵＴＹの領域、つまり、ＯＮ＿Ｄｕｔｙが７１％以上の領域において、定着ヒーター５３の通電比率の算出によって、予測されて導き出される入力電流の力率が、第２の所定値以上であるか否かによって決定する。第２の所定値は、例えば、上記の９０％である。なお、力率の許容範囲は、機器の構成により、変化するため、第２の所定値は、９０％には限られない。
【００７１】
（省電力モード）
消費電力の総和が、画像形成システム１における消費電力の上限値を超えることはあり得ないので、消費電力の総和が、画像形成システム１における消費電力の上限値を超えた場合における、判断部４５ｃによる処理は、存在しない。
（５）生成部４５ｄ
生成部４５ｄは、プリントモードの場合に、読み出したプリント制御情報を用いて、次に示すようにして、電気部材リストを生成する。
【００７２】
生成部４５ｄは、必ず、「００１」（本体）、「００２」（定着ヒーター５３）、「００３」（搬送路１７）を含むように、電気部材リストを生成する。プリントモードの場合に、本体、定着ヒーター５３及び搬送路１７は、必ず動作するからである。
次に、生成部４５ｄは、プリント制御情報にオプションの指定が存在するか否かを判断する。プリント制御情報にオプションの指定が無ければ、生成部４５ｄは、電気部材リストの生成を終了する。プリント制御情報にオプションの指定が有れば、生成部４５ｄは、オプションの指定に対応するＩＤを電気部材リストに追加する。例えば、オプションの指定が「ステープル」である場合、生成部４５ｄは、「００４」（後処理ユニット１８）を電気部材リストに追加する。オプションの指定が「大容量給紙トレイ」である場合、生成部４５ｄは、「００５」（給紙部１４）を電気部材リストに追加する。
【００７３】
（６）ヒーター制御部４８
ヒーター制御部４８は、温度検知センサー５４から、加熱ローラー５１の表面の温度を取得する。
（ウォームアップモード）
ヒーター制御部４８は、判断部４５ｃにより、求められたＯＮ＿ＤＵＴＹが７１％〜９９％の範囲内にあると判断される場合、第二制御方法により、定着ヒーター５３に対して通電制御を行う。ここで、第二制御方法は、全波整流された電流の周期毎に（つまり、交流電流の半周期毎に）、その立ち上がりの時間帯に、所定時間のみ、交流電流の定着ヒーター５３への入力を遮断する位相制御方式である。ここで、所定時間は、定着ヒーター５３に付与する熱量に応じて定まるとしてもよい。
【００７４】
一方、ヒーター制御部４８は、判断部４５ｃにより、求められたＯＮ＿ＤＵＴＹが７１％〜９９％の範囲内にないと判断される場合、プリントモードの場合の第一制御方法（パルス幅変調方式）により、定着ヒーター５３に対して通電制御を行う。ここで、プリントモードの場合の第一制御方法は、ＯＮ＿ＤＵＴＹが７０％のＰＷＭ制御による定着ヒーター５３への通電制御である。
【００７５】
ヒーター制御部４８は、消費電力の総和が上限値より小さい、又は、消費電力の総和が上限値と等しい場合、全点灯の制御方法により、つまり、定着ヒーター５３の最大の定格電力により、定着ヒーター５３に対して通電制御を行う。
（プリントモード）
ヒーター制御部４８は、判断部４５ｃにより、算出された通電比率が９０％未満であると判断される場合、プリントモードの場合の第一制御方法により、定着ヒーター５３に対して通電制御を行う。
【００７６】
このように、通電比率が９０％未満であると判断される場合、第一制御方法（つまり、ＰＷＭ制御）により、定着ヒーター５３に対して通電制御を行うのは、第一制御方法によると、定着ヒーター５３に対して出力される駆動電流の波形が、正弦波に近くなり、このため、力率の改善が見込めるからである。
一方、ヒーター制御部４８は、判断部４５ｃにより、算出された通電比率が９０％以上であると判断される場合、第二制御方法により、定着ヒーター５３に対して通電制御を行う。
【００７７】
（省電力モード）
ヒーター制御部４８は、省電力モードにおいて、省電力モードの場合の第一制御方法により、定着ヒーター５３に対して通電制御を行う。ここで、上述した通り、省電力モードの場合の第一制御方法は、ＯＮ＿ＤＵＴＹが３０％のＰＷＭ制御（パルス幅変調方式）による定着ヒーター５３への通電制御である。
【００７８】
１．６  駆動回路７０
駆動回路７０は、所定値以下のＯＮ＿ＤＵＴＹ（７０％）を実使用範囲とする第一制御方法により、商用電源１９（交流電源、図９）からの電力を変換して定着ヒーター５３に供給する第一給電と、商用電源１９からの交流電流の半周期毎に交流電流の定着ヒーター５３への入力を一時的に遮断する第二制御方法により、商用電源１９からの電力を変換して定着ヒーター５３に供給する第二給電とを切り替え可能に設けられている。
【００７９】
（１）駆動回路７０の構成
駆動回路７０は、図９に示すように、整流回路７１、ノイズフィルタ９１、チョッパ回路９２及びＩＧＢＴ駆動回路７８から構成されている。また、駆動回路７０は、外部の回路等に接続するための端子８１、８２、８９、９０及び図示していないその他の端子を備えている。
【００８０】
駆動回路７０は、端子８１、８２を介して、交流で電力を供給する商用電源１９に接続され、端子８９、９０を介して、定着ヒーター５３に接続されている。また、駆動回路７０は、その他の端子を介して、ヒーター制御部４８に接続されている。
ここで、商用電源１９は、図１０（ａ）に示す電圧波形１０１及び図１０（ｂ）に示す電流波形１０２の交流電流を出力する。
【００８１】
（整流回路７１）
図９に示すように、整流回路７１は、入力側において、端子８１、８２を介して、商用電源１９に接続され、出力側において、節点８３、８４を介して、ノイズフィルタ９１に接続されている。整流回路７１は、商用電源１９から供給される単相の交流電流を全波整流し、全波整流された電流（図１０（ｃ）の波形１０７により示す）をノイズフィルタ９１に対して供給する。整流回路７１は、一例として、４個の整流素子を組み合わせて構成されるブリッジ型の整流回路である。
【００８２】
（ノイズフィルタ９１）
ノイズフィルタ９１は、入力側において、節点８３、８４を介して、整流回路７１に接続され、出力側において、節点８５、８４を介して、チョッパ回路９２に接続されている。ノイズフィルタ９１は、画像形成装置１０において発生するノイズを商用電源１９側に伝搬しないように、ノイズを低減する。具体的には、ノイズフィルタ９１は、例えば、π型フィルタであって、コイル７３、コンデンサ７２、７４から構成されている。コイル７３の第一端及びコンデンサ７２の第一端は、節点８３に接続され、コイル７３の第二端及びコンデンサ７４の第一端は、節点８５に接続されている。また、コンデンサ７２の第二端及びコンデンサ７４の第二端は、節点８４に接続されている。
【００８３】
（チョッパ回路９２）
チョッパ回路９２は、入力側において、節点８５、８４を介して、ノイズフィルタ９１に接続され、出力側において、端子８９、９０を介して、定着ヒーター５３に接続されている。チョッパ回路９２は、例えば、降圧チョッパ回路であって、リアクトル（コイル）７７、還流ダイオード７５及びスイッチング素子７６から構成されている。
【００８４】
スイッチング素子７６は、例えばＩＧＢＴ（Insulated Gate Bipolar Transistor）やＭＯＳ−ＦＥＴ（Metal-Oxide-Semiconductor Field-Effect Transistor）である。
リアクトル７７の第一端及び還流ダイオード７５のカソードは、節点８６に接続されている。また、リアクトル７７の第二端は、端子８９に接続され、還流ダイオード７５のアノードは、節点８８（つまり、端子９０）に接続されている。スイッチング素子７６のコレクターは、節点８８に接続され、エミッタは、節点８４に接続され、ゲートは、節点８７を介して、ＩＧＢＴ駆動回路７８に接続されている。
【００８５】
スイッチング素子７６は、ＩＧＢＴ駆動回路７８から出力される制御信号に従って、オンとオフを繰り返す。
（ＩＧＢＴ駆動回路７８）
図９に示すＩＧＢＴ駆動回路７８は、ヒーター制御部４８から、制御方式の指定、及び、ＯＮ＿ＤＵＴＹ及びスイッチング周波数の指定を受け取る。
【００８６】
ＩＧＢＴ駆動回路７８は、ヒーター制御部４８から受け取った制御方式の指定、及び、ＯＮ＿ＤＵＴＹ及びスイッチング周波数の指定に基づいて、制御信号を生成し、生成した制御信号をスイッチング素子７６のゲートに出力する。
制御信号には、図１０（ｄ）の波形１０４により示す第一制御信号が含まれる期間と、図１０（ｆ）の波形１０６により示す第二制御信号が含まれる期間が存在する。
【００８７】
ＩＧＢＴ駆動回路７８は、第一制御方法の場合に、所定のＯＮ＿ＤＵＴＹ及び所定のスイッチング周波数でオンとオフを繰り返す第一制御信号を生成する。
ここで、画像形成装置１０が省電力モードである場合、第一制御信号のＯＮ＿ＤＵＴＹは、例えば、３０％又はその近辺の値であり、第一制御信号のスイッチング周波数は、例えば、３５ｋＨｚである。一方、画像形成装置１０がプリントモードである場合、第一制御信号のＯＮ＿ＤＵＴＹは、例えば、７０％又はその近辺の値であり、第一制御信号のスイッチング周波数は、例えば、２５ｋＨｚである。
【００８８】
一方、ＩＧＢＴ駆動回路７８は、第二制御方法の場合に、整流回路７１により全波整流された電流の周期毎に、つまり、交流電流の半周期毎に、当該全波整流された電流の立ち上がりの時間帯に、所定時間のみ、前記全波整流された電流の定着ヒーター５３への通電を遮断（オフ）し、その他の場合に通電（オン）することを繰り返す第二制御信号を生成する。
【００８９】
ここで、第二制御信号において、第二制御信号の一周期におけるオンの長さの比率は、一例として、８０％である。また、所定時間は、第二制御信号の一周期におけるオフの長さに相当し、交流電流の周波数が、例えば、５０Ｈｚである場合、所定時間は、０．００４秒である。
（２）チョッパ回路９２の動作
チョッパ回路９２の動作について、説明する。
【００９０】
スイッチング素子７６は、オンとオフを繰り返す制御信号に従って、オンとオフを繰り返す。
スイッチング素子７６がオンとなると、図１１上段の矢印Ａで示すように、リアクトル７７及び定着ヒーター５３に、整流回路７１で生成された全波整流された電流がスイッチング素子７６を介して流れる。この間、リアクトル７７は、自身を流れる電流の一部を磁気エネルギーとして蓄える。
【００９１】
一方、スイッチング素子７６がオフとなると、図１１下段の矢印Ｂで示すように、スイッチング素子７６がオンの間にリアクトル７７に蓄えられた磁気エネルギーが電流として放出されて定着ヒーター５３に流れ始める。この電流は、回生ダイオードとしての還流ダイオード７５を介してリアクトル７７に戻る。
（３）定着ヒーター５３に流れる電流の波形
図１０（ｃ）に、第一制御方法の場合に、定着ヒーター５３に流れる電流の波形１０３を示す。また、図１０（ｅ）に、第二制御方法の場合に、定着ヒーター５３に流れる電流の波形１０５を示す。
【００９２】
ここで、第一制御方法の場合に、スイッチング周波数が２０ｋＨｚ以下としないことが望ましい。スイッチング周波数が２０ｋＨｚ以下の可聴域に入ってしまうと、リアクトル７７が振動し、その結果、画像形成装置１０から騒音が発生するという問題が生じる。このため、第一制御信号が有するスイッチング周波数は、ともに、可聴域外である。
また、上記のように、図１０（ｃ）の波形１０３に示す電流は、不連続となっている。この電流の不連続性は、ノイズの発生を抑制するために、重要である。
【００９３】
仮に、プリントモードの場合に、スイッチング周波数を、例えば、３５ｋＨｚのように相対的に高くし、ＯＮ＿ＤＵＴＹを、例えば、約７０％のように相対的に大きく設定すると、又は、ＯＮ＿ＤＵＴＹを、例えば、約８０％のように相対的に大きく設定すると、図１１下段に示すＢの電流が０に低下するまでの間に、図１１上段に示す次のＡの電流の立ち上がりが始まるので、Ａの電流及びＢの電流の両方が流れる時間が発生しうる。このため、周期の切り替わり時に、電流値はゼロにならず（電流連続モード）、還流ダイオード７５にはリカバリー電流が流れ、リカバリーノイズが増大する。また、還流ダイオード７５に電流が流れている状態でスイッチング素子７６をオンにすると、スイッチングロスが生じて、スイッチング素子７６の温度が上昇してしまう。
【００９４】
１．７  動作例
（１）電源オン直後からの動作例（その１）
電源オン直後からの動作例について、図１２及び図１３に示す。
図１２及び図１３において、横軸に時間の経過を示し、時間の経過は、図１２から図１３へ続く。また、縦軸に、定着ヒーター５３の駆動電流（３０１）、定着ヒーター５３の通電制御のＰＷＭ制御値（３０２）、定着ヒーター５３の通電比率（３０３）、定着ヒーター５３の消費電力（３０４）、画像形成装置１０本体のモーター等の消費電力（３０５）、オプションのモーター等の消費電力（３０６）、画像形成システム１全体の消費電流の合計（３０７）、画像形成装置１０のモード（３０８）、定着部５０の加熱ローラー５１の表面の温度推移（３０９）を示している。
【００９５】
時刻ｔ１において、電源がオンされ、時刻ｔ１から時刻ｔ３までの間、定着ヒーター５３には、全波整流された駆動電流が流れる。この間、定着ヒーター５３の通電制御のＰＷＭ制御値ＯＮ＿ＤＵＴＹは、１００％であり、定着ヒーター５３の通電比率は、１００％であり、定着ヒーター５３の消費電力は、１３００Ｗであり、画像形成装置１０本体のモーター等の消費電力は、２００Ｗであり、オプションのモーター等の消費電力は、０Ｗであり、全体の消費電流の合計は、１５Ａであり、画像形成装置１０のモードは、ウォームアップである。加熱ローラー５１の表面の温度は、低温から約１６０°Ｃまで上昇している。
【００９６】
時刻ｔ３において、オプションが動作を開始し、時刻ｔ３から時刻ｔ６までの間、定着ヒーター５３には、第二制御方法により制御された駆動電流が流れる。この間、定着ヒーター５３の通電制御のＰＷＭ制御値ＯＮ＿ＤＵＴＹは、１００％であり、定着ヒーター５３の通電比率は、９３％であり、定着ヒーター５３の消費電力は、１２００Ｗであり、画像形成装置１０本体のモーター等の消費電力は、２００Ｗであり、オプションのモーター等の消費電力は、１００Ｗであり、全体の消費電流の合計は、１５Ａであり、画像形成装置１０のモードは、ウォームアップである。加熱ローラー５１の表面の温度は、約１６０°Ｃから約１７０°Ｃまで上昇し、約１７０°Ｃ近辺で定常化している。
【００９７】
時刻ｔ６において、プリント動作が開始され、時刻ｔ６から時刻ｔ１０までの間、定着ヒーター５３には、第一制御方法により制御された駆動電流が流れる。この間、定着ヒーター５３の通電制御のＰＷＭ制御値ＯＮ＿ＤＵＴＹは、７０％であり、定着ヒーター５３の通電比率は、１００％であり、定着ヒーター５３の消費電力は、９１０Ｗであり、画像形成装置１０本体のモーター等の消費電力は、４００Ｗであり、オプションのモーター等の消費電力は、１５０Ｗであり、全体の消費電流の合計は、１４．６Ａであり、画像形成装置１０のモードは、プリントである。加熱ローラー５１の表面の温度は、約１７０°Ｃ近辺で定常化している。
【００９８】
時刻ｔ１０において、プリント動作が終了し、時刻ｔ１０から時刻ｔ１２までの間、定着ヒーター５３には、第一制御方法により制御された駆動電流が流れる。この間、定着ヒーター５３の通電制御のＰＷＭ制御値ＯＮ＿ＤＵＴＹは、３０％であり、定着ヒーター５３の通電比率は、１００％であり、定着ヒーター５３の消費電力は、３９０Ｗであり、画像形成装置１０本体のモーター等の消費電力は、１００Ｗであり、オプションのモーター等の消費電力は、２０Ｗであり、全体の消費電流の合計は、５．１Ａであり、画像形成装置１０のモードは、省電力である。加熱ローラー５１の表面の温度は、約１７０°Ｃから下がり、約１２０°Ｃ近辺で定常化している。
【００９９】
（２）電源オン直後からの動作例（その２）
電源オン直後からの別の動作例について、図１４及び図１５に示す。
図１４及び図１５において、横軸に時間の経過を示し、時間の経過は、図１４から図１５へ続く。また、縦軸については、図１２及び図１３と同様に、定着ヒーター５３の駆動電流（４０１）、定着ヒーター５３の通電制御のＰＷＭ制御値（４０２）、定着ヒーター５３の通電比率（４０３）、定着ヒーター５３の消費電力（４０４）、画像形成装置１０本体のモーター等の消費電力（４０５）、オプションのモーター等の消費電力（４０６）、画像形成システム１全体の消費電流の合計（４０７）、画像形成装置１０のモード（４０８）、定着部５０の加熱ローラー５１の表面の温度推移（４０９）を示している。
【０１００】
時刻ｔ１１において、電源がオンされ、時刻ｔ１１から時刻ｔ１３までの間、定着ヒーター５３には、第二制御方法により制御された駆動電流が流れる。この間、定着ヒーター５３の通電制御のＰＷＭ制御値ＯＮ＿ＤＵＴＹは、１００％であり、定着ヒーター５３の通電比率は、９３％であり、定着ヒーター５３の消費電力は、１２００Ｗであり、画像形成装置１０本体のモーター等の消費電力は、２００Ｗであり、オプションのモーター等の消費電力は、１００Ｗであり、全体の消費電流の合計は、１５Ａであり、画像形成装置１０のモードは、ウォームアップである。加熱ローラー５１の表面の温度は、低温から約１７０°Ｃまで上昇している。
【０１０１】
時刻ｔ１３において、プリント動作が開始され、時刻ｔ１３から時刻ｔ１５までの間、定着ヒーター５３には、第一制御方法により制御された駆動電流が流れる。この間、定着ヒーター５３の通電制御のＰＷＭ制御値ＯＮ＿ＤＵＴＹは、７０％であり、定着ヒーター５３の通電比率は、１００％であり、定着ヒーター５３の消費電力は、９１０Ｗであり、画像形成装置１０本体のモーター等の消費電力は、４００Ｗであり、オプションのモーター等の消費電力は、１５０Ｗであり、全体の消費電流の合計は、１４．６Ａであり、画像形成装置１０のモードは、プリントである。加熱ローラー５１の表面の温度は、約１７０°Ｃ近辺で定常化している。
【０１０２】
時刻ｔ１５において、オプションが変更されて、プリント動作が継続し、時刻ｔ１５から時刻ｔ１７までの間、定着ヒーター５３には、第二制御方法により制御された駆動電流が流れる。この間、定着ヒーター５３の通電制御のＰＷＭ制御値ＯＮ＿ＤＵＴＹは、１００％であり、定着ヒーター５３の通電比率は、９３％であり、定着ヒーター５３の消費電力は、１２００Ｗであり、画像形成装置１０本体のモーター等の消費電力は、４００Ｗであり、オプションのモーター等の消費電力は、５０Ｗであり、全体の消費電流の合計は、１４．５Ａであり、画像形成装置１０のモードは、プリントである。加熱ローラー５１の表面の温度は、約１７０°Ｃ近辺で定常化している。
【０１０３】
時刻ｔ１７において、プリント動作が終了し、時刻ｔ１７から時刻ｔ１９までの間、定着ヒーター５３には、第一制御方法により制御された駆動電流が流れる。この間、定着ヒーター５３の通電制御のＰＷＭ制御値ＯＮ＿ＤＵＴＹは、３０％であり、定着ヒーター５３の通電比率は、１００％であり、定着ヒーター５３の消費電力は、３９０Ｗであり、画像形成装置１０本体のモーター等の消費電力は、１００Ｗであり、オプションのモーター等の消費電力は、１００Ｗであり、全体の消費電流の合計は、４．９Ａであり、画像形成装置１０のモードは、省電力である。加熱ローラー５１の表面の温度は、約１７０°Ｃから下がり、約１２０°Ｃ近辺で定常化している。
【０１０４】
１．８  画像形成装置１０の動作
画像形成装置１０の動作について説明する。
（１）画像形成装置１０全体の概要動作
画像形成装置１０全体の概要動作について、図１６に示すフローチャートを用いて、説明する。
【０１０５】
利用者による電源ＯＮの操作を受け付けると（ステップＳ１００）、主制御部４０は、ウォームアップの動作を行うように制御する（ステップＳ１０１）。
また、主制御部４０は、プリントジョブを受け付けた場合（ステップＳ１０２でＹＥＳ）、プリント処理を行うように制御する（ステップＳ１０３）。
また、プリントジョブが無く、かつ、プリントジョブが無くなってから、所定時間を経過した場合（ステップＳ１０４でＹＥＳ）、主制御部４０は、ヒーター制御部４８に対して、省電力モードの場合の第一制御方法により、定着ヒーター５３の温度を制御させ、また、画像形成装置１０を省電力モードに移行させる（ステップＳ１０５）。
【０１０６】
以降、主制御部４０は、ステップＳ１０２に制御を移し、処理を繰り返す。
（２）ウォームアップ時の動作
プリンター制御部４５のウォームアップ時の動作について、図１７に示すフローチャートを用いて説明する。
プリンター制御部４５の読出部４５ａは、ウォームアップ時に用いる電気部材リストを読み出す（ステップＳ１２１）。次に、読出部４５ａは、記憶部４９に記憶されている消費電力テーブル２０１から、読み出した電気部材リストに含まれる全てのＩＤについて、ウォームアップモードに対応する消費電力を読み出す（ステップＳ１２２）。次に、算出部４５ｂは、読み出した消費電力の総和を算出する（ステップＳ１２３）。
【０１０７】
判断部４５ｃは、消費電力の総和と、画像形成システム１における消費電力の上限値とを比較する（ステップＳ１２４）。消費電力の総和が上限値より大きい場合（ステップＳ１２４で「ＹＥＳ」）、消費電力に余裕がなく、図１７に示すように、定着ヒーターの電力（５０１）、本体の電力（５０２）、オプションの電力（５０３、５０４）を加算した総電力は、上限値（１５００Ｗ）を超えるので、算出部４５ｂは、超過電力（超過電力＝消費電力の総和−上限値）を算出する（ステップＳ１２５）。次に、算出部４５ｂは、定着ヒーター５３に割り当て可能な電力（割り当て可能な電力＝定着ヒーター５３の最大定格電力−超過電力）を算出する（ステップＳ１２６）。次に、算出部４５ｂは、ＯＮ＿ＤＵＴＹ対応表２５１を用いて、定着ヒーター５３に割り当て可能な電力に対応するＯＮ＿ＤＵＴＹを求める（ステップＳ１２７）。
【０１０８】
次に、判断部４５ｃは、求めたＯＮ＿ＤＵＴＹが７１％〜９９％の範囲内にあるか否かを判断する（ステップＳ１２８）。求めたＯＮ＿ＤＵＴＹが７１％〜９９％の範囲内にある場合（ステップＳ１２８で「ＹＥＳ」）、ヒーター制御部４８は、第二制御方法により、定着ヒーター５３に対して通電制御を行う（ステップＳ１２９）。次に、ヒーター制御部４８は、温度検知センサー５４により検知される加熱ローラー５１の表面の温度を取得する（ステップＳ１３０）。判断部４５ｃは、検出した温度と目標温度とを比較する（ステップＳ１３１）。プリンター制御部４５は、検出した温度が目標温度より低い場合（ステップＳ１３１で「ＹＥＳ」）、ステップＳ１３０に制御を移して、処理を繰り返す。検出した温度が目標温度より高い、又は、検出した温度が目標温度と等しい場合（ステップＳ１３１で「ＮＯ」）、プリンター制御部４５は、ウォームアップの動作を終了する。
【０１０９】
求めたＯＮ＿ＤＵＴＹが７１％〜９９％の範囲内にない場合（ステップＳ１２８で「ＮＯ」）、ヒーター制御部４８は、プリントモードの場合の第一制御方法により、定着ヒーター５３に対して通電制御を行う（ステップＳ１３２）。次に、ヒーター制御部４８は、温度検知センサー５４により検知される加熱ローラー５１の表面の温度を取得する（ステップＳ１３３）。判断部４５ｃは、検出した温度と目標温度とを比較する（ステップＳ１３４）。プリンター制御部４５は、検出した温度が目標温度より低い場合（ステップＳ１３４で「ＹＥＳ」）、ステップＳ１３３に制御を移して、処理を繰り返す。検出した温度が目標温度より高い又は検出した温度が目標温度と等しい場合（ステップＳ１３４で「ＮＯ」）、プリンター制御部４５は、ウォームアップの動作を終了する。
【０１１０】
消費電力の総和が上限値より小さい、又は、消費電力の総和が上限値と等しい場合（ステップＳ１２４で「ＮＯ」）、消費電力に余裕があり、図１７に示すように、定着ヒーターの電力（５１１）、本体の電力（５１２）、オプションの電力（５１３）を加算した総電力は、上限値（１５００Ｗ）を超えず、余裕（５１４）があるので、ヒーター制御部４８は、全点灯の制御方法により、定着ヒーター５３に対して通電制御を行う（ステップＳ１３５）。次に、ヒーター制御部４８は、温度検知センサー５４により検知される加熱ローラー５１の表面の温度を取得する（ステップＳ１３６）。判断部４５ｃは、検出した温度と目標温度とを比較する（ステップＳ１３７）。プリンター制御部４５は、検出した温度が目標温度より低い場合（ステップＳ１３７で「ＹＥＳ」）、ステップＳ１２３に制御を移して、処理を繰り返す。検出した温度が目標温度より高い又は検出した温度が目標温度と等しい場合（ステップＳ１３７で「ＮＯ」）、プリンター制御部４５は、ウォームアップの動作を終了する。
【０１１１】
（３）プリント処理の動作
プリンター制御部４５のプリント処理の動時の動作について、図１８〜図１９に示すフローチャートを用いて説明する。
プリンター制御部４５の読出部４５ａは、実行対象であるプリントジョブに付随するプリントジョブデータに含まれるプリント制御情報を読み出す（ステップＳ１５１）。次に、生成部４５ｄは、読み出したプリント制御情報を用いて、電気部材リストを生成する（ステップＳ１５２）。
【０１１２】
次に、読出部４５ａは、記憶部４９に記憶されている消費電力テーブル２０１から、生成した電気部材リストに含まれる全てのＩＤについて、プリントモードに対応する消費電力を読み出す（ステップＳ１５３）。次に、算出部４５ｂは、読み出した消費電力の総和を算出する（ステップＳ１５４）。
判断部４５ｃは、消費電力の総和と、画像形成システム１における消費電力の上限値とを比較する（ステップＳ１５５）。消費電力の総和が上限値より大きい場合（ステップＳ１５５で「ＹＥＳ」）、つまり、消費電力に余裕がなく、図１８に示すように、定着ヒーターの電力（５２１）及び本体及びオプションの電力（５２２）を加算した総電力は、上限値（１５００Ｗ）を超える場合、算出部４５ｂは、通電比率を算出する（ステップＳ１５６）。
【０１１３】
次に、判断部４５ｃは、算出した通電比率が９０％未満か、９０％以上かを判断する（ステップＳ１５８）。
算出した通電比率が９０％未満である場合（ステップＳ１５８で「９０％未満」）、ヒーター制御部４８は、プリントモードの場合の第一制御方法により、定着ヒーター５３に対して通電制御を行う（ステップＳ１５９）。次に、プリンター制御部４５は、プリンター部１２、給紙部１３又は給紙部１４、及び、後処理装置１６に対して、プリントジョブを実行するように制御する（ステップＳ１６２）。プリントジョブの実行が完了すると、プリンター制御部４５によるプリント処理の動作は、完了する。
【０１１４】
算出した通電比率が９０％以上である場合（ステップＳ１５８で「９０％以上」）、ヒーター制御部４８は、第二制御方法により、定着ヒーター５３に対して通電制御を行う（ステップＳ１６３）。次に、プリンター制御部４５は、プリンター部１２、給紙部１３又は給紙部１４、及び、後処理装置１６に対して、プリントジョブを実行するように制御する（ステップＳ１６６）。プリントジョブの実行が完了すると、プリンター制御部４５によるプリント処理の動作は、完了する。
【０１１５】
消費電力の総和が上限値と等しい場合、又は、消費電力の総和が上限値より小さい場合（ステップＳ１５５で「ＮＯ」）、ヒーター制御部４８は、プリントモードの場合の第一制御方法により、定着ヒーター５３に対して通電制御を行い（ステップＳ１６７）、次に、ヒーター制御部４８は、プリンター部１２、給紙部１３又は給紙部１４、及び、後処理装置１６に対して、プリントジョブを実行するように制御する（ステップＳ１７０）。プリントジョブの実行が完了すると、プリンター制御部４５によるプリント処理の動作は、完了する。
【０１１６】
１．９  まとめ
図２０（ｃ）に示すように、例えば、第一制御方法により定着ヒーター５３に対して電流を供給するとき、ノイズの発生を避けるため、ＯＮ＿ＤＵＴＹは、７０％以下に設定される。定着ヒーター５３の電力、本体の電力及びオプションの電力の合計の電力は、電力の上限値を超えることはないが、電力の上限値１５００Ｗのうち、２９０Ｗ（＝１５００Ｗ−１２１０Ｗ）は、使用されないこととなる。
【０１１７】
これに対して、本発明においては、交流電源からの交流電流の半周期毎に交流電流の定着ヒーター５３への入力を一時的に遮断する第二制御方式により、定着ヒーター５３に対する通電を制御する。
この結果、例えば、図２０（ｄ）に示すように、定着ヒーター５３の電力を１２００Ｗ（６３１）まで増加させることができ、定着ヒーター５３の電力１２００Ｗ（６３１）、本体の電力２００Ｗ（６３２）及びオプションの電力１００Ｗ（６３３）の合計が上限の電力１５００Ｗとなる。
【０１１８】
こうして、定着ヒーター５３の最大定格電力内で、定着ヒーター５３に割り当てる電力を最大限にして、定着部５０のウォームアップの時間を短縮することができる。
２  その他の変形例
なお、本発明を上記の実施の形態に基づいて説明してきたが、本発明は、上記の実施の形態に限定されないのはもちろんである。以下のような場合も本発明に含まれる。
【０１１９】
（１）上記の実施の形態において述べたように、画像形成システム１に、画像形成装置１０とは異なる装置、例えば、オプションとしての後処理装置１６が接続される場合、又は、画像形成装置１０にオプションとしての給紙部１４が接続される場合、ヒーター制御部４８は、画像形成中において、第二制御方法の使用を禁止して、第一制御方法（パルス変調方式）のみを用いるとしてもよい。
【０１２０】
第二制御方法を用いる場合と比較すると、第一制御方法を用いる場合には、加熱ローラー５１の表面の温度の変動を少なくすることができるので、トナー像の定着をより安定させることができる。
（２）上記の実施の形態では、プリントの実行中において、判断部４５ｃが、算出された通電比率が９０％以上であると判断することにより、第二制御方法に切り替わる場合の例を説明したが、例えば、画像形成される画像が文字や記号等のみから構成されるテキストデータであるか、又は、画像形成される画像の印字率が所定値より少ないときには、ヒーター制御部４８は、プリントモードの場合の第一制御方法により、定着ヒーター５３に対して通電制御を行うとしてもよい。
【０１２１】
印字率の高い写真などを含む画像と比較すると、画像がテキストデータであったり、画像の印字率が少ない場合には、定着に要する熱量が少なくて済むので、７０％以下のデューティ比を用いた第一制御方法により、定着ヒーター５３に対して通電制御を行うことにより、十分な定着性を得ることができる。
（３）第一制御方法として、パルス幅変調方式に代えて、パルス周波数変調方式を用いるとしてもよい。つまり、パルス変調方式は、パルス幅変調方式及びパルス周波数変調方式のいずれかである。
【０１２２】
また、パルス変調方式において用いられる周波数は、可聴域の上限以上であるとすることが望ましい。
（４）上記の画像形成装置は、マイクロプロセッサ、ＲＯＭ、ＲＡＭ等などから構成されるコンピューターシステムである。ＲＡＭには、制御用のコンピュータープログラムが記憶されている。マイクロプロセッサが、コンピュータープログラムに従って動作することにより、画像形成装置は、その一部の機能を達成する。ここで、コンピュータープログラムは、所定の機能を達成するために、コンピューターに対する指令を示す命令コードが複数個組み合わされて構成されたものである。
【０１２３】
本発明は、上記に示す方法であるとしてもよい。また、これらの方法をコンピューターにより実現するコンピュータープログラムであるとしてもよい。
また、本発明は、コンピュータープログラムをコンピューター読み取り可能な記録媒体、例えば、フレキシブルディスク、ハードディスク、光ディスク、半導体メモリなどに記録したものとしてもよい。また、本発明は、これらの記録媒体に記録されているコンピュータープログラムであるとしてもよい。
【０１２４】
また、本発明は、コンピュータープログラムを、電気通信回線、無線又は有線通信回線、インターネットを代表とするネットワーク等を経由して伝送するものとしてもよい。
（５）上記実施の形態及び上記変形例をそれぞれ組み合わせるとしてもよい。
【産業上の利用可能性】
【０１２５】
本発明にかかる画像形成装置は、定着ヒーターの最大定格電力内で、定着ヒーターに割り当て可能な電力をより多く取れるようにすることにより、定着部のウォームアップの時間を短縮することができ、定着部に内蔵される定着ヒーターへの通電を制御する技術として有用である。
【符号の説明】
【０１２６】
１    画像形成システム
１０    画像形成装置
１１    イメージリーダー部
１２    プリンター部
１３、１４    給紙部
１６    後処理装置
１７    搬送路
１８    後処理ユニット
４０    主制御部
４１    ＲＡＭ
４２    ＲＯＭ
４３    ＣＰＵ
４４    ネットワークＩ／Ｆ部
４５    プリンター制御部
４５ａ  読出部
４５ｂ  算出部
４５ｃ  判断部
４５ｄ  生成部
４６    画像メモリ
４７    イメージリーダー制御部
４８    ヒーター制御部
４９    記憶部
５０    定着部
５１    加熱ローラー
５２    加圧ローラー
５３    定着ヒーター
【図１】
2018155783.tif 000003
【図２】
2018155783.tif 000004
【図３】
2018155783.tif 000005
【図４】
2018155783.tif 000006
【図５】
2018155783.tif 000007
【図６】
2018155783.tif 000008
【図７】
2018155783.tif 000009
【図８】
2018155783.tif 000010
【図９】
2018155783.tif 000011
【図１０】
2018155783.tif 000012
【図１１】
2018155783.tif 000013
【図１２】
2018155783.tif 000014
【図１３】
2018155783.tif 000015
【図１４】
2018155783.tif 000016
【図１５】
2018155783.tif 000017
【図１６】
2018155783.tif 000018
【図１７】
2018155783.tif 000019
【図１８】
2018155783.tif 000020
【図１９】
2018155783.tif 000021
【図２０】
2018155783.tif 000022